(57)【要約】【課題】先着優先型の無瞬断切替装置において、伝送経路故障時の遅延増加を抑えた無瞬断切替を実現する。【解決手段】第１の伝送経路および第２の伝送経路の途中にそれぞれ２入力２出力構成の第１の共有ノードおよび第２の共有ノードを挿入し、該第１の共有ノード／第２の共有ノードの入力１および出力１を第１の伝送経路／第２の伝送経路に接続し、該第１の共有ノードの出力２と該第２の共有ノードの入力２を接続し、該第２の共有ノードの出力２と該第１の共有ノードの入力２を接続する構成であり、第１の共有ノード／第２の共有ノードは、入力１および入力２に入力する同一シーケンス番号のパケット信号について先着または後着を判定し、先着の場合に複製して（第１の伝送経路および第２の共有ノード）／（第２の伝送経路および第１の共有ノード）に出力し、後着の場合に廃棄する構成である。【選択図】  図２
2015226246.tif 000002
【特許請求の範囲】
【請求項１】
パケット信号にシーケンス番号を付与して複製し、第１の伝送経路および第２の伝送経路に送信する送信側ノードと、
前記第１の伝送経路および第２の伝送経路を伝搬したパケット信号を入力し、該パケット信号のシーケンス番号から先着または後着を判定し、先着のパケット信号を後段へ出力し、後着のパケット信号を廃棄する受信側ノードと
を備えた無瞬断切替装置において、
前記第１の伝送経路および前記第２の伝送経路の途中に２入力２出力構成の共有ノードを挿入し、該共有ノードの入力１および出力１を前記第１の伝送経路に接続し、該共有ノードの入力２および出力２を前記第２の伝送経路に接続する構成であり、
前記共有ノードは、前記第１の伝送経路から前記入力１および前記第２の伝送経路から前記入力２へそれぞれ入力する同一シーケンス番号のパケット信号について先着または後着を判定し、先着の場合に複製して出力１から前記第１の伝送経路および出力２から前記第２の伝送経路へ出力し、後着の場合に廃棄する構成である
ことを特徴とする無瞬断切替装置。
【請求項２】
請求項１に記載の無瞬断切替装置において、
前記共有ノードは、
前記入力１および前記入力２から入力するパケット信号のシーケンス番号を読み取り、当該シーケンス番号が登録されているか否かにより先着または後着を判定し、先着のパケット信号であれば当該シーケンス番号を登録するとともに先着のパケット信号を出力し、後着のパケット信号であれば廃棄するシーケンス番号読取判定手段と、
前記シーケンス番号読取判定手段から出力された先着のパケット信号を複製し、前記出力１および前記出力２から出力するパケット信号出力制御手段と
を備えたことを特徴とする無瞬断切替装置。
【請求項３】
パケット信号にシーケンス番号を付与して複製し、第１の伝送経路および第２の伝送経路に送信する送信側ノードと、
前記第１の伝送経路および第２の伝送経路を伝搬したパケット信号を入力し、該パケット信号のシーケンス番号から先着または後着を判定し、先着のパケット信号を後段へ出力し、後着のパケット信号を廃棄する受信側ノードと
を備えた無瞬断切替装置において、
前記第１の伝送経路および前記第２の伝送経路の途中にそれぞれ２入力２出力構成の第１の共有ノードおよび第２の共有ノードを挿入し、該第１の共有ノードの入力１および出力１を前記第１の伝送経路に接続し、該第２の共有ノードの入力１および出力１を前記第２の伝送経路に接続し、該第１の共有ノードの出力２と該第２の共有ノードの入力２を接続し、該第２の共有ノードの出力２と該第１の共有ノードの入力２を接続する構成であり、
前記第１の共有ノードは、前記第１の伝送経路から前記入力１および前記第２の共有ノードから前記入力２へそれぞれ入力する同一シーケンス番号のパケット信号について先着または後着を判定し、先着の場合に複製して前記出力１から前記第１の伝送経路および前記出力２から前記第２の共有ノードへ出力し、後着の場合に廃棄する構成であり、
前記第２の共有ノードは、前記第２の伝送経路から前記入力１および前記第１の共有ノードから前記入力２へそれぞれ入力する同一シーケンス番号のパケット信号について先着または後着を判定し、先着の場合に複製して前記出力１から前記第２の伝送経路および前記出力２から前記第１の共有ノードへ出力し、後着の場合に廃棄する構成である
ことを特徴とする無瞬断切替装置。
【請求項４】
請求項３に記載の無瞬断切替装置において、
前記第１の共有ノードおよび前記第２の共有ノードは、
前記入力１および前記入力２から入力するパケット信号のシーケンス番号を読み取り、当該シーケンス番号が登録されているか否かにより先着または後着を判定し、先着のパケット信号であれば当該シーケンス番号を登録するとともに先着のパケット信号を出力し、後着のパケット信号であれば廃棄するシーケンス番号読取判定手段と、
前記シーケンス番号読取判定手段から出力された先着のパケット信号を複製し、前記出力１および前記出力２から出力するパケット信号出力制御手段と
を備えたことを特徴とする無瞬断切替装置。
【請求項５】
送信側ノードでパケット信号にシーケンス番号を付与して複製し、第１の伝送経路および第２の伝送経路に送信し、
前記第１の伝送経路および第２の伝送経路を伝搬したパケット信号を受信側ノードに入力し、該パケット信号のシーケンス番号から先着または後着を判定し、先着のパケット信号を後段へ出力し、後着のパケット信号を廃棄する
無瞬断切替方法において、
前記第１の伝送経路および前記第２の伝送経路の途中に２入力２出力構成の共有ノードを挿入し、該共有ノードの入力１および出力１を前記第１の伝送経路に接続し、該共有ノードの入力２および出力２を前記第２の伝送経路に接続し、
前記共有ノードは、前記第１の伝送経路から前記入力１および前記第２の伝送経路から前記入力２へそれぞれ入力する同一シーケンス番号のパケット信号について先着または後着を判定し、先着の場合に複製して前記出力１から前記第１の伝送経路および前記出力２から前記第２の伝送経路へ出力し、後着の場合に廃棄する
ことを特徴とする無瞬断切替方法。
【請求項６】
請求項５に記載の無瞬断切替方法において、
前記共有ノードは、
シーケンス番号読取判定手段で前記入力１および前記入力２から入力するパケット信号のシーケンス番号を読み取り、当該シーケンス番号が登録されているか否かにより先着または後着を判定し、先着のパケット信号であれば当該シーケンス番号を登録するとともに先着のパケット信号を出力し、後着のパケット信号であれば廃棄し、
前記シーケンス番号読取判定手段からパケット信号出力制御手段に入力する先着のパケット信号を複製し、前記出力１および前記出力２から出力する
ことを特徴とする無瞬断切替方法。
【請求項７】
送信側ノードでパケット信号にシーケンス番号を付与して複製し、第１の伝送経路および第２の伝送経路に送信し、
前記第１の伝送経路および第２の伝送経路を伝搬したパケット信号を受信側ノードに入力し、該パケット信号のシーケンス番号から先着または後着を判定し、先着のパケット信号を後段へ出力し、後着のパケット信号を廃棄する
無瞬断切替方法において、
前記第１の伝送経路および前記第２の伝送経路の途中にそれぞれ２入力２出力構成の第１の共有ノードおよび第２の共有ノードを挿入し、該第１の共有ノードの入力１および出力１を前記第１の伝送経路に接続し、該第２の共有ノードの入力１および出力１を前記第２の伝送経路に接続し、該第１の共有ノードの出力２と該第２の共有ノードの入力２を接続し、該第２の共有ノードの出力２と該第１の共有ノードの入力２を接続し、
前記第１の共有ノードは、前記第１の伝送経路から前記入力１および前記第２の共有ノードから前記入力２にそれぞれ入力する同一シーケンス番号のパケット信号について先着または後着を判定し、先着の場合に複製して前記出力１から前記第１の伝送経路および前記出力２から前記第２の共有ノードに出力し、後着の場合に廃棄し、
前記第２の共有ノードは、前記第２の伝送経路から前記入力１および前記第１の共有ノードから前記入力２にそれぞれ入力する同一シーケンス番号のパケット信号について先着または後着を判定し、先着の場合に複製して前記出力１から前記第２の伝送経路および前記出力２から前記第１の共有ノードへ出力し、後着の場合に廃棄する
ことを特徴とする無瞬断切替方法。
【請求項８】
請求項７に記載の無瞬断切替方法において、
前記第１の共有ノードおよび前記第２の共有ノードは、
シーケンス番号読取判定手段で前記入力１および前記入力２から入力するパケット信号のシーケンス番号を読み取り、当該シーケンス番号が登録されているか否かにより先着または後着を判定し、先着のパケット信号であれば当該シーケンス番号を登録するとともに先着のパケット信号を出力し、後着のパケット信号であれば廃棄し、
前記シーケンス番号読取判定手段からパケット信号出力制御手段に入力する先着のパケット信号を複製し、前記出力１および前記出力２から出力する
ことを特徴とする無瞬断切替方法。
【発明の詳細な説明】
【技術分野】
【０００１】
本発明は、送信側ノードと受信側ノードが２つの異なる伝送経路を介して接続され、送信側ノードから両伝送経路に同一のパケット信号を送信し、受信側ノードに先着するパケット信号を選択して出力する無瞬断切替装置および無瞬断切替方法に関する。
【背景技術】
【０００２】
図８は、従来の無瞬断切替装置の動作例を示す（特許文献１）。
図８において、送信側ノード１０と受信側ノード２０は、経路長の異なる伝送経路０，１を介して対向接続される。ここでは、伝送経路０を短経路とし、伝送経路１を長経路とする。
【０００３】
送信側ノード１０は、シーケンス番号を付与して複製した同一のパケット信号を伝送経路０，１に送信する。ここで、短経路の伝送経路０に送信されたパケット信号を「Ｓ」、長経路の伝送経路１に送信されたパケット信号を「Ｌ」と表記するが、シーケンス番号を含めて複製された同じものである。
【０００４】
受信側ノード２０は、伝送経路０，１からそれぞれ到着する同一シーケンス番号のパケット信号Ｓ，Ｌについて、先着のパケット信号を出力し、後着のパケット信号を廃棄する。通常は、図８(1) に示すように、短経路の伝送経路０を伝搬したパケット信号Ｓが先着となり、受信側ノード２０から出力される。
【０００５】
一方、図８(2) に示すように短経路の伝送経路０が故障し、ここでは受信側ノード２０にシーケンス番号「２」のパケット信号Ｓが到着しない場合、長経路の伝送経路１から到着するシーケンス番号「２」のパケット信号Ｌが先着となり、受信側ノード２０から出力される。このとき、短経路の伝送経路０を伝搬したシーケンス番号「１」のパケット信号Ｓと、長経路の伝送経路１を伝搬したシーケンス番号「２」のパケット信号Ｌとの間の遅延が、伝送経路０，１の経路長差（遅延時間差）に応じて増加し、受信側ノード２０の後段への影響が大きくなる。
【０００６】
なお、長経路である伝送経路１が故障した場合は、もともと遅れて到着するパケット信号が到着しないだけであり、短経路の伝送経路０から到着するパケット信号がそのまま出力されるので支障はない。
【先行技術文献】
【特許文献】
【０００７】
【特許文献１】特開２０１２−１７８６６５号公報
【発明の概要】
【発明が解決しようとする課題】
【０００８】
従来の先着優先型の無瞬断切替装置では、短経路の伝送経路の故障時に、長経路の伝送経路への切り替えに伴う遅延が増加する傾向がある。
【０００９】
本発明は、先着優先型の無瞬断切替装置において、伝送経路故障時の遅延増加を抑えた無瞬断切替を実現する無瞬断切替装置および無瞬断切替方法を提供することを目的とする。
【課題を解決するための手段】
【００１０】
第１の発明は、パケット信号にシーケンス番号を付与して複製し、第１の伝送経路および第２の伝送経路に送信する送信側ノードと、第１の伝送経路および第２の伝送経路を伝搬したパケット信号を入力し、該パケット信号のシーケンス番号から先着または後着を判定し、先着のパケット信号を後段へ出力し、後着のパケット信号を廃棄する受信側ノードとを備えた無瞬断切替装置において、第１の伝送経路および第２の伝送経路の途中に２入力２出力構成の共有ノードを挿入し、該共有ノードの入力１および出力１を第１の伝送経路に接続し、該共有ノードの入力２および出力２を第２の伝送経路に接続する構成であり、共有ノードは、第１の伝送経路から入力１および第２の伝送経路から入力２へそれぞれ入力する同一シーケンス番号のパケット信号について先着または後着を判定し、先着の場合に複製して出力１から第１の伝送経路および出力２から第２の伝送経路へ出力し、後着の場合に廃棄する構成である。
【００１１】
第１の発明の無瞬断切替装置において、共有ノードは、入力１および入力２から入力するパケット信号のシーケンス番号を読み取り、当該シーケンス番号が登録されているか否かにより先着または後着を判定し、先着のパケット信号であれば当該シーケンス番号を登録するとともに先着のパケット信号を出力し、後着のパケット信号であれば廃棄するシーケンス番号読取判定手段と、シーケンス番号読取判定手段から出力された先着のパケット信号を複製し、出力１および出力２から出力するパケット信号出力制御手段とを備える。  
【００１２】
第２の発明は、パケット信号にシーケンス番号を付与して複製し、第１の伝送経路および第２の伝送経路に送信する送信側ノードと、第１の伝送経路および第２の伝送経路を伝搬したパケット信号を入力し、該パケット信号のシーケンス番号から先着または後着を判定し、先着のパケット信号を後段へ出力し、後着のパケット信号を廃棄する受信側ノードとを備えた無瞬断切替装置において、第１の伝送経路および第２の伝送経路の途中にそれぞれ２入力２出力構成の第１の共有ノードおよび第２の共有ノードを挿入し、該第１の共有ノードの入力１および出力１を第１の伝送経路に接続し、該第２の共有ノードの入力１および出力１を第２の伝送経路に接続し、該第１の共有ノードの出力２と該第２の共有ノードの入力２を接続し、該第２の共有ノードの出力２と該第１の共有ノードの入力２を接続する構成であり、第１の共有ノードは、第１の伝送経路から入力１および第２の共有ノードから入力２へそれぞれ入力する同一シーケンス番号のパケット信号について先着または後着を判定し、先着の場合に複製して出力１から第１の伝送経路および出力２から第２の共有ノードへ出力し、後着の場合に廃棄する構成であり、第２の共有ノードは、第２の伝送経路から入力１および第１の共有ノードから入力２へそれぞれ入力する同一シーケンス番号のパケット信号について先着または後着を判定し、先着の場合に複製して出力１から第２の伝送経路および出力２から第１の共有ノードへ出力し、後着の場合に廃棄する構成である。
【００１３】
第２の発明の無瞬断切替装置において、第１の共有ノードおよび第２の共有ノードは、入力１および入力２から入力するパケット信号のシーケンス番号を読み取り、当該シーケンス番号が登録されているか否かにより先着または後着を判定し、先着のパケット信号であれば当該シーケンス番号を登録するとともに先着のパケット信号を出力し、後着のパケット信号であれば廃棄するシーケンス番号読取判定手段と、シーケンス番号読取判定手段から出力された先着のパケット信号を複製し、出力１および出力２から出力するパケット信号出力制御手段とを備える。
【００１４】
第３の発明は、送信側ノードでパケット信号にシーケンス番号を付与して複製し、第１の伝送経路および第２の伝送経路に送信し、第１の伝送経路および第２の伝送経路を伝搬したパケット信号を受信側ノードに入力し、該パケット信号のシーケンス番号から先着または後着を判定し、先着のパケット信号を後段へ出力し、後着のパケット信号を廃棄する無瞬断切替方法において、第１の伝送経路および第２の伝送経路の途中に２入力２出力構成の共有ノードを挿入し、該共有ノードの入力１および出力１を第１の伝送経路に接続し、該共有ノードの入力２および出力２を第２の伝送経路に接続し、共有ノードは、第１の伝送経路から入力１および第２の伝送経路から入力２へそれぞれ入力する同一シーケンス番号のパケット信号について先着または後着を判定し、先着の場合に複製して出力１から第１の伝送経路および出力２から第２の伝送経路へ出力し、後着の場合に廃棄する。
【００１５】
第３の発明の無瞬断切替方法において、共有ノードは、シーケンス番号読取判定手段で入力１および入力２から入力するパケット信号のシーケンス番号を読み取り、当該シーケンス番号が登録されているか否かにより先着または後着を判定し、先着のパケット信号であれば当該シーケンス番号を登録するとともに先着のパケット信号を出力し、後着のパケット信号であれば廃棄し、シーケンス番号読取判定手段からパケット信号出力制御手段に入力する先着のパケット信号を複製し、出力１および出力２から出力する。
【００１６】
第４の発明は、送信側ノードでパケット信号にシーケンス番号を付与して複製し、第１の伝送経路および第２の伝送経路に送信し、第１の伝送経路および第２の伝送経路を伝搬したパケット信号を受信側ノードに入力し、該パケット信号のシーケンス番号から先着または後着を判定し、先着のパケット信号を後段へ出力し、後着のパケット信号を廃棄する無瞬断切替方法において、第１の伝送経路および第２の伝送経路の途中にそれぞれ２入力２出力構成の第１の共有ノードおよび第２の共有ノードを挿入し、該第１の共有ノードの入力１および出力１を第１の伝送経路に接続し、該第２の共有ノードの入力１および出力１を第２の伝送経路に接続し、該第１の共有ノードの出力２と該第２の共有ノードの入力２を接続し、該第２の共有ノードの出力２と該第１の共有ノードの入力２を接続し、第１の共有ノードは、第１の伝送経路から入力１および第２の共有ノードから入力２にそれぞれ入力する同一シーケンス番号のパケット信号について先着または後着を判定し、先着の場合に複製して出力１から第１の伝送経路および出力２から第２の共有ノードに出力し、後着の場合に廃棄し、第２の共有ノードは、第２の伝送経路から入力１および第１の共有ノードから入力２にそれぞれ入力する同一シーケンス番号のパケット信号について先着または後着を判定し、先着の場合に複製して出力１から第２の伝送経路および出力２から第１の共有ノードへ出力し、後着の場合に廃棄する。
【００１７】
第４の発明の無瞬断切替方法において、第１の共有ノードおよび第２の共有ノードは、シーケンス番号読取判定手段で入力１および入力２から入力するパケット信号のシーケンス番号を読み取り、当該シーケンス番号が登録されているか否かにより先着または後着を判定し、先着のパケット信号であれば当該シーケンス番号を登録するとともに先着のパケット信号を出力し、後着のパケット信号であれば廃棄し、シーケンス番号読取判定手段からパケット信号出力制御手段に入力する先着のパケット信号を複製し、出力１および出力２から出力する。
【発明の効果】
【００１８】
第１の発明および第３の発明は、２つの異なる伝送経路を介して接続される送信側ノードと受信側ノードとの間で先着優先型の無瞬断切替を行う構成において、２つの伝送経路を分割して共有ノードを介して接続することにより、前半の２つの伝送経路を介して共有ノードに先着のパケット信号を後半の２つの伝送経路に送信することができる。これにより、短経路の伝送経路が故障しても、共有ノードで前半の伝送経路の経路長差が吸収され、受信側ノードで先着優先型の無瞬断切替を行う場合の遅延差を低減することができる。
【００１９】
第２の発明および第４の発明は、２つの異なる伝送経路を介して接続される送信側ノードと受信側ノードとの間で先着優先型の無瞬断切替を行う構成において、２つの伝送経路を分割してそれぞれ共有ノードを介して接続し、各共有ノードの入出力間を相互に接続することにより、前半の２つの伝送経路を介して共有ノードに先着のパケット信号を後半の２つの伝送経路に送信することができる。これにより、短経路の伝送経路が故障しても、各伝送経路に挿入される共有ノードで前半の伝送経路の経路長差が吸収され、受信側ノードで先着優先型の無瞬断切替を行う場合の遅延差を低減することができる。
【図面の簡単な説明】
【００２０】
【図１】本発明の無瞬断切替装置の実施例構成１を示す図である。
【図２】本発明の無瞬断切替装置の実施例構成２を示す図である。
【図３】伝送経路０ａ，１ａの経路差が大きい場合の共有ノードの動作例を示す図である。
【図４】伝送経路０ａ，１ａの経路差が小さい場合の共有ノードの動作例を示す図である。
【図５】伝送経路０ａが故障の場合の共有ノードの動作例を示す図である。
【図６】伝送経路０ａが一時的に故障の場合の共有ノードの動作例を示す図である。
【図７】共有ノード３０−０の構成例を示す図である。
【図８】従来の無瞬断切替装置の動作例を示す図である。
【発明を実施するための形態】
【００２１】
図１は、本発明の無瞬断切替装置の実施例構成１を示す。
図１において、送信側ノード１０と受信側ノード２０は、０系の伝送経路０ａ、共有ノード３０、０系の伝送経路０ｂを介して接続されるとともに、１系の伝送経路１ａ、共有ノード３０、１系の伝送経路１ｂを介して接続される。すなわち、共有ノード３０により、図８に示す０系の伝送経路０を伝送経路０ａと伝送経路０ｂに分割し、１系の伝送経路１を伝送経路１ａと伝送経路１ｂに分割した構成であり、伝送経路０ａと伝送経路１ａの経路長差、さらに伝送経路０ｂと伝送経路１ｂの経路長差が、それぞれ経路分割前に比べて縮小される。
【００２２】
送信側ノード１０は、伝送経路０ａと伝送経路１ａにシーケンス番号を付与して複製した同一のパケット信号を送出する構成である。共有ノード３０は、入力１，２にそれぞれ入力するパケット信号について、シーケンス番号から判定して先着の場合は複製して出力１，２から出力し、後着の場合は廃棄する構成である。受信側ノード２０は、伝送経路０ｂと伝送経路１ｂからそれぞれ入力するパケット信号について、シーケンス番号から判定して先着の場合は後段に出力し、後着の場合は廃棄する構成である。
【００２３】
これにより、図８に示す従来構成の受信側ノード２０では、例えば伝送経路０が故障すると伝送経路１への切り替えに限定されるが、本実施例構成１では例えば短経路の伝送経路０ａが故障しても、長経路の伝送経路１ａを通過したパケット信号が共有ノード３０で複製されて伝送経路０ｂ，１ｂを介して受信側ノード２０に到着する。すなわち、受信側ノード２０からみて伝送経路１ａ→０ｂまたは伝送経路１ａ→１ｂとなる。したがって、短経路の伝送経路０ａが故障しても、共有ノード３０の無瞬断切替により伝送経路０ａ，１ａの経路長差が吸収され、その状態を維持して受信側ノード２０に到着することになるので、受信側ノード２０で先着優先型の無瞬断切替を行う場合の遅延差を低減することができる。詳しくは、図６を参照して改めて説明する。
【００２４】
図２は、本発明の無瞬断切替装置の実施例構成２を示す。
図２において、送信側ノード１０と受信側ノード２０は、０系の伝送経路０ａ、共有ノード３０−０、０系の伝送経路０ｂを介して接続されるとともに、１系の伝送経路１ａ、共有ノード３０−１、１系の伝送経路１ｂを介して接続される。すなわち、共有ノード３０−０により、図８に示す０系の伝送経路０を伝送経路０ａと伝送経路０ｂに分割し、共有ノード３０−１により、図８に示す１系の伝送経路１を伝送経路１ａと伝送経路１ｂに分割した構成であり、伝送経路０ａと伝送経路１ａの経路長差、さらに伝送経路０ｂと伝送経路１ｂの経路長差が、それぞれ経路分割前に比べて縮小される。
【００２５】
本実施例構成２の特徴は、共有ノード３０−０の入力１および出力１をそれぞれ伝送経路０ａ，０ｂに接続し、共有ノード３０−１の入力１および出力１をそれぞれ伝送経路１ａ，１ｂに接続し、共有ノード３０−０の出力２と共有ノード３０−１の入力２を接続し、共有ノード３０−１の出力２と共有ノード３０−０の入力２を接続する構成である。
【００２６】
送信側ノード１０は、伝送経路０ａと伝送経路１ａにシーケンス番号を付与して複製した同一のパケット信号を送出する構成である。共有ノード３０−０，３０−１は、入力１，２にそれぞれ入力するパケット信号について、シーケンス番号から判定して先着の場合は複製して出力１，２から出力し、後着の場合は廃棄する構成である。受信側ノード２０は、伝送経路０ｂと伝送経路１ｂからそれぞれ入力するパケット信号について、シーケンス番号から判定して先着の場合は後段に出力し、後着の場合は廃棄する構成である。
【００２７】
この実施例構成２の共有ノード３０−０，３０−１は、図１に示す実施例構成１の共有ノード３０を冗長構成とした構成であり、当該共有ノード３０が故障してもパケット断となる事態を回避し、無瞬断切替による信頼性を向上させたものである。基本的な機能は同等であるので、以下の説明では実施例構成２に基づいて説明する。
また、伝送経路０ａ，０ｂを短経路とし、伝送経路１ａ，１ｂを長経路とするが、例えば伝送経路０ｂを長経路とし、伝送経路１ｂを短経路としてもよい。
【００２８】
（伝送経路０ａ，１ａの経路差が大きい場合）
図３は、伝送経路０ａ，１ａの経路差が大きい場合の共有ノードの動作例を示す。
図３において、送信側ノード１０から伝送経路０ａと伝送経路１ａに送信されたシーケンス番号「２」のパケット信号は、通常は短経路の伝送経路０ａを介して接続される共有ノード３０−０に先着する。ここで、短経路の伝送経路０ａに送信されたパケット信号を「Ｓ」、長経路の伝送経路１ａに送信されたパケット信号を「Ｌ」と表記するが、シーケンス番号を含めて複製された同じものである。
【００２９】
共有ノード３０−０では、伝送経路０ａからシーケンス番号「２」のパケット信号Ｓを入力し、そのパケット信号Ｓが先着であることを判定すると、複製して伝送経路０ｂおよび共有ノード３０−１へ出力する。
【００３０】
共有ノード３０−１では、伝送経路１ａからシーケンス番号「２」のパケット信号Ｌが入力する前に、共有ノード３０−０から伝送経路０ａを伝搬したシーケンス番号「２」のパケット信号Ｓが入力することになる。よって、シーケンス番号「２」のパケット信号Ｓが先着となり、複製して伝送経路１ｂおよび共有ノード３０−０へ出力する。その後、伝送経路１ａからシーケンス番号「２」のパケット信号Ｌが入力しても、後着として廃棄される。同様に、共有ノード３０−０に共有ノード３０−１から出力されたシーケンス番号「２」のパケット信号Ｓが入力するが、後着として廃棄される。
【００３１】
以上により、共有ノード３０−０から伝送経路０ｂへ、および共有ノード３０−１から伝送経路１ｂへは、ともに伝送経路０ａを伝搬したパケット信号Ｓが出力される。受信側ノード２０には、パケット信号Ｓがそれぞれの経路差に応じた遅延時間差で到着し、通常は短経路の伝送経路０ｂから到着するパケット信号Ｓが先着となり、後段に出力される。また、伝送経路１ｂから到着するパケット信号Ｓは後着となり、廃棄される。
【００３２】
（伝送経路０ａ，１ａの経路差が小さい場合）
図４は、伝送経路０ａ，１ａの経路差が小さい場合の共有ノードの動作例を示す。
図４において、送信側ノード１０から伝送経路０ａと伝送経路１ａに送信されたシーケンス番号「２」のパケット信号Ｓ，Ｌは、共有ノード３０−０と共有ノード３０−１にほぼ同時に到着するものとする。
【００３３】
共有ノード３０−０では、伝送経路０ａからシーケンス番号「２」のパケット信号Ｓを入力し、そのパケット信号Ｓが先着であることを判定すると、複製して伝送経路０ｂおよび共有ノード３０−１へ出力する。
【００３４】
共有ノード３０−１では、伝送経路１ａからシーケンス番号「２」のパケット信号Ｌを入力し、そのパケット信号Ｌが先着であることを判定すると、複製して伝送経路１ｂおよび共有ノード３０−０へ出力する。
【００３５】
その後、共有ノード３０−０には、共有ノード３０−１からシーケンス番号「２」のパケット信号Ｌが入力されるが、後着として廃棄される。共有ノード３０−１には、共有ノード３０−０からシーケンス番号「２」のパケット信号Ｓが入力されるが、後着として廃棄される。
【００３６】
以上により、共有ノード３０−０から伝送経路０ｂへは、伝送経路０ａを伝搬したパケット信号Ｓが出力され、共有ノード３０−１から伝送経路１ｂへは、伝送経路１ａを伝搬したパケット信号Ｌが出力される。受信側ノード２０には、パケット信号Ｓ，Ｌがそれぞれの経路差に応じた遅延時間差で到着し、通常は短経路の伝送経路０ｂから到着するパケット信号Ｓが先着となり、出力される。また、伝送経路１ｂから到着するパケット信号Ｌは後着となり、廃棄される。
【００３７】
なお、伝送経路０ａ，１ａの経路差が小さい場合でも、共有ノード３０−１において、伝送経路１ａから入力するシーケンス番号「２」のパケット信号Ｌと、伝送経路０ａから共有ノード３０−０を介して入力するシーケンス番号「２」のパケット信号Ｓの入力タイミング差以上の経路差があれば、図３に示す経路差が大きい場合と同様に、伝送経路０ｂ，１ｂにはシーケンス番号「２」のパケット信号Ｓが送信される。ただし、図１の実施例構成１に示す１つの共有ノード３０を用いる構成では、伝送経路０ａ，１ａの経路差の大小にかかわらず、経路差が０でない限り先着したパケット信号が複製されて伝送経路０ｂ，１ｂに送出される。その点では、図４に示すケースは、図２の実施例構成２に示す２つの共有ノード３０−０，３０−１を用いた構成に特有のものとなる。
【００３８】
（伝送経路０ａが故障した場合）
図５は、伝送経路０ａが故障した場合の共有ノードの動作例を示す。
図５において、送信側ノード１０から伝送経路０ａと伝送経路１ａに送信されたシーケンス番号「２」のパケット信号Ｓ，Ｌは、伝送経路０ａが故障のため共有ノード３０−０には到着せず、伝送経路１ａを介して接続される共有ノード３０−１に到着する。
【００３９】
共有ノード３０−１では、伝送経路１ａからシーケンス番号「２」のパケット信号Ｌを入力し、そのパケット信号Ｌが先着であることを判定すると、複製して伝送経路１ｂおよび共有ノード３０−０へ出力する。
【００４０】
共有ノード３０−０では、伝送経路０ａからシーケンス番号「２」のパケット信号Ｓが入力せず、共有ノード３０−１から伝送経路１ａを伝搬したシーケンス番号「２」のパケット信号Ｌが入力することになる。よって、シーケンス番号「２」のパケット信号Ｌが先着となり、複製して伝送経路０ｂおよび共有ノード３０−１へ出力する。その後、共有ノード３０−１には、共有ノード３０−０から出力されたシーケンス番号「２」のパケット信号Ｌが入力されるが、後着として廃棄される。
【００４１】
以上により、共有ノード３０−０から伝送経路０ｂへ、および共有ノード３０−１から伝送経路１ｂへは、ともに伝送経路１ａを伝搬したパケット信号Ｌが出力される。受信側ノード２０には、パケット信号Ｌがそれぞれの経路差に応じた時間差で到着し、通常は短経路の伝送経路０ｂから到着するパケット信号Ｌが先着となり、出力される。また、伝送経路１ｂから到着するパケット信号Ｌは後着となり、廃棄される。
【００４２】
なお、長経路である伝送経路１ａが故障した場合は、もともと遅れて到着するパケット信号が到着しないだけであり、図３に示す伝送経路０ａと伝送経路１ａの経路差が大きい場合の動作と同様である。
【００４３】
（伝送経路０ａが一時的に故障した場合）
図６は、伝送経路０ａが一時的に故障した場合の共有ノードの動作例を示す。なお、一時的故障とは、１つのパケット信号が廃棄され、次のシーケンス番号のパケット信号が到着する場合である。
【００４４】
図６(1) において、送信側ノード１０から伝送経路０ａ，１ａに送信されたシーケンス番号「１」のパケット信号Ｓ，Ｌは、伝送経路０ａ，１ａの経路差に応じて、図３または図４に示すように共有ノード３０−０，３０−１から伝送経路０ｂ，１ｂにそれぞれ送信される。ここでは、図３に示す伝送経路０ａ，１ａの経路差が大きい場合に相当し、シーケンス番号「１」のパケット信号Ｓが伝送経路０ｂ，１ｂに送信される場合を示す。
【００４５】
次に、送信側ノード１０から伝送経路０ａ，１ａに送信されたシーケンス番号「２」のパケット信号Ｓ，Ｌは、伝送経路０ａの一時的故障のため共有ノード３０−０には到着せず、共有ノード３０−１のみに到着する。
【００４６】
共有ノード３０−１では、伝送経路１ａからシーケンス番号「２」のパケット信号Ｌを入力し、そのパケット信号Ｌが先着であることを判定すると、複製して伝送経路１ｂおよび共有ノード３０−０へ出力する。
【００４７】
共有ノード３０−０では、伝送経路０ａからシーケンス番号「２」のパケット信号Ｓが入力せず、共有ノード３０−１から伝送経路１ａを伝搬したシーケンス番号「２」のパケット信号Ｌが入力することになる。よって、シーケンス番号「２」のパケット信号Ｌが先着となり、複製して伝送経路０ｂおよび共有ノード３０−１へ出力する。その後、共有ノード３０−１には、共有ノード３０−０から出力されたシーケンス番号「２」のパケット信号Ｌが入力されるが、後着として廃棄される。
【００４８】
以上により、共有ノード３０−０から伝送経路０ｂへは、伝送経路０ａを伝搬したシーケンス番号「１」のパケット信号Ｓの次に、伝送経路１ａを伝搬したシーケンス番号「２」のパケット信号Ｌが出力される。共有ノード３０−１から伝送経路１ｂへも同様である。受信側ノード２０には、パケット信号Ｓ，Ｌがそれぞれの経路差に応じた時間差で到着し、通常は短経路の伝送経路０ｂから到着するパケット信号Ｓ，Ｌが先着となり、出力される。また、伝送経路１ｂから到着するパケット信号Ｓ，Ｌは後着となり、廃棄される。
【００４９】
ここで、本発明の構成では、図８に示す短経路の伝送経路０が共有ノード３０−０を介して伝送経路０ａ，０ｂに２分割され、長経路の伝送経路１が共有ノード３０−１を介して伝送経路１ａ，１ｂに２分割されたものとすると、前半の短経路の伝送経路０ａと長経路の伝送経路１ａの経路長差が、経路分割前に比べて縮小される。そのため、共有ノード３０−０，３０−１からそれぞれ出力されるシーケンス番号「１」のパケット信号Ｓとシーケンス番号「２」のパケット信号Ｌの遅延差が縮小され、その状態を維持して受信側ノード２０に到着することになる。よって、経路切替に伴うシーケンス番号「１」のパケット信号Ｓとシーケンス番号「２」のパケット信号Ｌの遅延差は、図８(2) に示す経路分割前に比べて縮小される。
【００５０】
次に、図６(2) において、送信側ノード１０から伝送経路０ａに送信されたシーケンス番号「２」のパケット信号Ｓは、伝送経路０ａの一時的故障のため共有ノード３０−０には到着せず、次のシーケンス番号「３」のパケット信号Ｓが共有ノード３０−０に到着するものとする。
【００５１】
共有ノード３０−０では、伝送経路０ａからシーケンス番号「２」のパケット信号Ｓが入力せず、次のシーケンス番号「３」のパケット信号Ｓが入力し、そのパケット信号Ｓが先着であることを判定すると、複製して伝送経路０ｂおよび共有ノード３０−１へ出力する。
【００５２】
共有ノード３０−１では、伝送経路１ａからシーケンス番号「２」のパケット信号Ｌが入力する前に、共有ノード３０−０から伝送経路０ａを伝搬したシーケンス番号「３」のパケット信号Ｓが入力するものとする。よって、シーケンス番号「３」のパケット信号Ｓが先着となり、複製して伝送経路１ｂおよび共有ノード３０−０へ出力する。その後、伝送経路１ａからシーケンス番号「２」のパケット信号Ｌを入力し、そのパケット信号Ｌが先着であることを判定すると、複製して伝送経路１ｂおよび共有ノード３０−０へ出力する。
【００５３】
共有ノード３０−０では、共有ノード３０−１から伝送経路１ａを伝搬したシーケンス番号「２」のパケット信号Ｌを入力し、そのパケット信号Ｌが先着であることを判定すると、複製して伝送経路０ｂおよび共有ノード３０−１へ出力する。その後、共有ノード３０−１には、共有ノード３０−０から出力されたシーケンス番号「２」のパケット信号Ｌが入力するが、後着として廃棄される。
【００５４】
以上により、共有ノード３０−０から伝送経路０ｂへは、伝送経路０ａを伝搬したシーケンス番号「３」のパケット信号Ｓの次に、伝送経路１ａを伝搬したシーケンス番号「２」のパケット信号Ｌが出力される。共有ノード３０−１から伝送経路１ｂへも同様である。受信側ノード２０には、シーケンス番号「３」のパケット信号Ｓと、シーケンス番号「２」のパケット信号Ｌがそれぞれの経路差に応じた遅延時間差で到着し、シーケンス番号の順番を入れ換えて出力される。
【００５５】
なお、伝送経路０ａから共有ノード３０−０に到着するシーケンス番号「３」のパケット信号Ｓの到着タイミングと、伝送経路１ａから共有ノード３０−１に到着するシーケンス番号「２」のパケット信号Ｌの到着タイミングは、伝送経路０ａ，１ａの経路差に応じて不確定である。したがって、共有ノード３０−１において、図６(2) に示すように伝送経路０ａを伝搬したシーケンス番号「３」のパケット信号Ｓの入力が先で、伝送経路１ａからシーケンス番号「２」のパケット信号Ｌの入力が後になるとは限らず、その逆の場合もありうる。その場合は、受信側ノード２０には、シーケンス番号順に到着することになり、パケット信号の入れ換えは不要となる。
【００５６】
図７は、共有ノード３０−０の構成例を示す。なお、図１に示す共有ノード３０および図２に示す共有ノード３０−１についても同様の構成である。
【００５７】
図７において、共有ノード３０−０は、入力１および入力２からパケット信号を入力するシーケンス番号読取判定部３１、先着するパケット信号のシーケンス番号を記録する先着シーケンス番号記録部３２、出力１および出力２へパケット信号を出力するパケット信号複製部３３により構成される。
【００５８】
シーケンス番号読取判定部３１は、伝送経路０ａから入力するパケット信号のシーケンス番号、および共有ノード３０−１の出力２から入力するパケット信号のシーケンス番号をそれぞれ読み取り、当該シーケンス番号が先着シーケンス番号記録部３２に未登録であれば先着シーケンス番号記録部３２に登録するとともに先着パケット信号としてパケット信号複製部３３に出力し、既登録であれば後着パケット信号と判定して廃棄する。パケット信号複製部３３は、シーケンス番号読取判定部３１から出力された先着のパケット信号を複製し、伝送経路０ｂへ出力するとともに、共有ノード３０−１の入力２へ出力する。
【符号の説明】
【００５９】
０，０ａ，０ｂ  伝送経路（短経路）
１，１ａ，１ｂ  伝送経路（長経路）
１０  送信側ノード
２０  受信側ノード
３０，３０−０，３０−１  共有ノード
３１  シーケンス番号読取判定部
３２  先着シーケンス番号記録部
３３  パケット信号複製部
【図１】
2015226246.tif 000003
【図２】
2015226246.tif 000004
【図３】
2015226246.tif 000005
【図４】
2015226246.tif 000006
【図５】
2015226246.tif 000007
【図６】
2015226246.tif 000008
【図７】
2015226246.tif 000009
【図８】
2015226246.tif 000010